Podtech/llm-jp-corpus-v4-ja_patent huggingface dataset:
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
大部分が液体のサンプルの少なくとも１つの特性を測定する方法であって、
少なくとも１つの化学試薬をサンプルに加えることであって、この化学試薬は、サンプルに加えたときに、直接検出されるべき特性に関係する、測定可能な光学的効果を生じる能力があり、
その光学的効果を測定すること；及び
測定された光学的効果を決定されるべき特性に付随する所定の値と比較することにより特性の値を推定することを含み、測定された光学的効果及び測定されるべき特性の間の関係は、液体サンプル容積に無関係であり、及びサンプルに加えられた試薬容積に無関係である方法。
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
−  試料（１０）を保持するための装置（４０）と、
−  光検出用の装置（２０）と、
−  単色光ビームを放射可能な照明装置（３０）と、
−  大口径対物レンズ（ｆ１）と、
を含む、前記試料（１０）の化学、生物学または生化学分析用の結像システムにおいて、前記対物レンズ（ｆ１）が、前記試料（１０）の下流で、
・  反射された励起光ビームを、前記対物レンズ（ｆ１）の焦点面（ＦＦ）に位置する点（Ｃ）に合焦させ、
・  透過または散乱された光ビームを準平行ビームに変換する
ように構成され、
前記システムが、前記対物レンズ（ｆ１）により集光された光ビームを選択的に遮断する装置（７０）をさらに含む、
システム。
【請求項２】
前記装置（７０）が、
−  前記焦点（Ｃ）のまわりで前記対物レンズの前記焦点面に配置された絞り（７１）と、
−  前記焦点（Ｃ）に配置されたシャッタ（７２）と、
を含む、請求項１に記載のシステム。
【請求項３】
前記装置（７０）が、高域フィルタおよび帯域フィルタを含む群から選択される少なくとも１つのフィルタをさらに含む、請求項２に記載のシステム。
【請求項４】
前記対物レンズの上流で、前記単色光ビームを前記ビームの前記光源から前記試料保持装置（４０）側へ反射する手段をさらに含む、請求項１から請求項３のいずれか一項に記載のシステム。
【請求項５】
前記反射手段が、光学軸（ＹＹ）の近傍に配置されたミラー（５０）、または前記光学軸（ＹＹ）に配置され、前記光学軸に対して４５°＋／−２°に向けられ、透過もしくは反射で前記試料（１０）を観察するように配置された半透明ミラーを含む、請求項４に記載のシステム。
【請求項６】
前記集光された光ビームを選択的に遮断するための前記装置（７０）が、前記絞り（７１）または前記シャッタ（７２）を選択的に作動させるための電気または機械スイッチをさらに含む、請求項２から請求項５のいずれか一項に記載のシステム。
【請求項７】
前記照明装置（３０）が、モノクロメータに結合された白色光源、および／または調整可能または調整不可能な単色光源を含む、請求項１から請求項６のいずれか一項に記載のシステム。
【請求項８】
前記照明装置（３０）が、少なくとも１つの光ファイバを含むセット、および調整可能な少なくとも１ユニットの光源を含むセットを有し、少なくとも１つのファイバの入力部が、少なくとも１つのユニット式光源に接続可能である、請求項１から請求項７のいずれか一項に記載のシステム。
【請求項９】
前記少なくとも１つのファイバの入力部が複数のユニット式光源に接続可能であり、前記システムが、前記ファイバの入力部と前記ファイバの入力部に接続された前記ユニット式光源との間の相対移動において、前記ファイバの入力部を前記ユニット式光源の１つに接続するためのスイッチをさらに含む、請求項８に記載のシステム。
【請求項１０】
前記システムが、少なくとも２つのファイバの入力部をそれぞれ光源に接続可能なファイババンドルをさらに含み、前記システムが、前記光源を選択的に作動させるための電気または光スイッチをさらに含む、請求項１から請求項９のいずれか一項に記載のシステム。
【請求項１１】
請求項１から請求項１０のいずれか一項に記載のシステムにおける、試料の化学、生物学または生化学分析の方法において、
−  単色光ビームで試料（１０）を照明するステップと、
−  前記試料（１０）の下流で、対物レンズ（ｆ１）によって、前記対物レンズ（ｆ１）の焦点面（ＦＦ）に位置する点Ｃに前記反射された励起光ビームを合焦させるステップと、を含み、
前記方法が、
−  前記集光されたビームを選択的に遮断するステップと、
−  前記選択的な遮断に基づいて、前記試料（１０）の複数の画像をカメラ（２０）によって取得するステップと、
をさらに含むことを特徴とする方法。
【請求項１２】
前記画像を比較するステップをさらに含む、請求項１１に記載の方法。
【請求項１３】
前記反射された励起光ビームの合焦の下流で前記透過または散乱された光ビームをフィルタリングするステップをさらに含む、請求項１１または請求項１２に記載の方法。
【請求項１４】
−  前記単色光ビームの単色光源を調整するステップと、
−  前記選択された調整波長に従って、異なるラマンシフトを測定するステップと、
をさらに含む、請求項１１から請求項１３のいずれか一項に記載の方法。
【手続補正２】
【補正対象書類名】明細書
【補正対象項目名】００２３
【補正方法】変更
【補正の内容】
【００２３】
一実施形態において、選択的遮断装置は、
−  焦点Ｃのまわりで前記対物レンズの焦点面に配置されるように構成された絞りと、
−  焦点Ｃに配置されるように構成されたシャッタと、
を含む。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
一般式Ｉを有する化合物であって
【化１】
2013545731.tif 000001
式中、
Ｒ１はイミノキシを意味する−ＣＨ＝ＮＯＲ４、−ＣＨ２ＮＨＯＲ４、−ＣＨ２ＸＲ５、−ＣＨ＝ＣＨＲ６、−ＣＨ＝ＮＲ７、アミノ−（Ｃ３−Ｃ６）アルキル、又は、ヘテロシクロアルキル部分がピペリジニル、ピロリジニル及びテトラヒドロフラニルから成る群から選択されるヘテロシクロアルキル−アルキルであり；
Ｒ７はグアニジノであり；
Ｒ６はアミノ−（Ｃ１〜Ｃ６）アルキル又は、ヘテロシクロアルキル部分がピペリジニル、ピロリジニル及びテトラヒドロフラニルから成る群から選択されたヘテロシクロアルキル−アルキルであり；
Ｒ５はアミノ−（Ｃ１〜Ｃ６）アルキル又は、ヘテロシクロアルキル部分がピペリジニル、ピロリジニル及びテトラヒドロフラニルから成る群から選択されたヘテロシクロアルキル−アルキルであり；
Ｒ４はＨ、アミノ−（Ｃ１〜Ｃ６）アルキル、ヘテロシクロアルキル、ヒドロキシアルキル、ヒドロキシアルキルオキシアルキル又はカルボキシアルキルであり；
ＸはＯ又はＳであり；
環内記号
【化２】
2013545731.tif 000002
が単結合又は二重結合を表し、それが二重結合を表す場合は、炭素環へＲ３を結合する記号
【化３】
2013545731.tif 000003
は単結合を表し、前記炭素環Ａは部分的に不飽和であり；
前記炭素環へＲ２を結合する前記記号
【化４】
2013545731.tif 000004
は単結合又は二重結合を表し；
前記炭素環へＲ２を結合する前記記号
【化５】
2013545731.tif 000005
が単結合を表す場合、Ｒ２はＨ又はヒドロキシルであるか；又は、
前記炭素環へＲ２を結合する前記記号
【化６】
2013545731.tif 000006
がそれぞれカルボニル又はオキシムを意味する二重結合を表す場合、Ｒ２はＯ又はＮ〜ＯＲ８であり；
Ｒ８はＨ又は（Ｃ１〜Ｃ６）アルキルであり；
前記炭素環へＲ３を結合する前記記号
【化７】
2013545731.tif 000007
が単結合又は二重結合を表し、
前記炭素環へＲ３を結合する前記記号
【化８】
2013545731.tif 000008
が単結合を表す場合、Ｒ３はＨであるか；又は、
前記炭素環へＲ３を結合する前記記号
【化９】
2013545731.tif 000009
がそれぞれカルボニル又はオキシムを意味する二重結合を表す場合、Ｒ３はＯ又はＮ〜ＯＲ８であり、
炭素環Ａは芳香族であるか又は部分的に不飽和であり；
但し、Ｒ４がＨである場合、Ｒ２はＨではなく；
エナンチオマー、ジアステレオマー、それらのラセミ体及びそれらの薬学的に許容可能な塩などのそれらの光学的に活性な形態である、化合物。
【請求項２】
Ｒ１が−ＣＨ＝ＮＯＲ４である、請求項１に記載の化合物。
【請求項３】
Ｒ４がアミノ−（Ｃ１〜Ｃ６）アルキル又はヘテロシクロアルキルである、請求項１〜２のいずれか一項に記載の化合物。
【請求項４】
薬剤としての請求項１〜３のいずれか一項に記載の化合物を含む組成物。
【請求項５】
高血圧、心不全、心肥大、腎不全、糸球体硬化症、タンパク尿及び血管手術後の血管狭窄の予防及び／又は治療のための、請求項４に記載の組成物。
【請求項６】
前記心血管の疾患が高血圧である、請求項５に記載の組成物。
【請求項７】
高血圧が内因性ウアバインの効果により引き起こされる、請求項６に記載の組成物。
【請求項８】
薬学的に許容される賦形剤とともに、請求項１〜３に記載の化合物を含む医薬組成物。
【請求項９】
請求項１に記載の化合物の合成のためのプロセスであって、前記記号Ｒ１はイミノキシを意味する−ＣＨ＝ＮＯＲ４であり、炭素環Ａは芳香族であるか又は部分的に不飽和であり、Ｒ２及びＲ３は請求項１で定義した通りであり、式中炭素環Ａは芳香族であるか又は部分的に不飽和であり、Ｒ２及びＲ３は上記で定義した通りである式ＩＩの化合物
【化１０】
2013545731.tif 000010
を、式中Ｒ４は上記で定義した通りであり、ｘは０〜３に含まれる整数である式（ＩＩＩ）の化合物
【化１１】
2013545731.tif 000011
と、室温でピリジン中において反応させることを含む、プロセス。
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
配列番号４２および４４に示される配列を含む抗体のヒトＤＫＫ１への結合を交差遮断する、および／または配列番号４２および４４に示される配列を含む抗体によって、ヒトＤＫＫ１への結合から交差遮断される、単離された抗体またはその断片。
【請求項２】
配列番号２のアミノ酸９８〜１０４および１１４〜１３８の不連続エピトープに特異的に結合し、ヒトＤＫＫ１活性を阻害する、単離された抗体またはその断片。
【請求項３】
エピトープが高次構造的である、請求項２に記載の抗体またはその断片。
【請求項４】
Ｋｒｅｍｉｎ２のヒトＤＫＫ１への結合を遮断しない、請求項１に記載の抗体またはその断片。
【請求項５】
１．３０Ｅ−０３以下のＫｄでヒトＤＫＫ１と結合する、請求項４に記載の抗体またはその断片。
【請求項６】
患者において骨塩密度を増加させる、請求項１〜５に記載の抗体またはその断片。
【請求項７】
配列番号９７〜２２８から選択される対応するＣＤＲ配列と少なくとも９０％の同一性をそれぞれ有する少なくとも３つのＣＤＲを含み、ヒトＤＫＫ１と結合する、請求項６に記載の抗体またはその断片。
【請求項８】
配列番号９７〜２２８から選択されるＣＤＲ配列と少なくとも９５％のパーセント同一性を有し、ヒトＤＫＫ１と結合する、請求項７に記載の抗体またはその断片。
【請求項９】
配列番号９７〜１０２、１０３〜１０８、１０９〜１１４、１１５〜１２０、１２１〜１２６、１２７〜１３２、１３３〜１３８、１３９〜１４４、１４５〜１５０、１５１〜１５６、１５７〜１６２、１６３〜１６８、１６９〜１７４、１７５〜１８０、１８１〜１８６、１８７〜１９２、１９３〜１９８、１９９〜２０４、２０５〜２１０、２１１〜２１６、２１７〜２２２、および２２３〜２２８からなる群から選択されるＣＤＲを含む、請求項７に記載の抗体またはその断片。
【請求項１０】
配列番号１２、１６、２０、２４、２８、３２、３６、４０、４４、４８、５２、５６、６０、６４、６８、７２、７６、８０、８４、８８、９２、および９６に示される配列と少なくとも８５％の同一性を有するポリペプチドを含む重鎖を含む、請求項１に記載の抗体またはその断片。
【請求項１１】
１０、１４、１８、２２、２６、３０、３４、３８、４２、４６、５０、５４、５８、６２、６６、７０、７４、７８、８２、８６、９０、および９４に示される配列と少なくとも８５％の同一性を有するポリペプチドを含む軽鎖を含む、請求項１に記載の抗体またはその断片。
【請求項１２】
配列番号１０および１２、１４および１６、１８および２０、２２および２４、２６および２８、３０および３２、３４および３６、３８および４０、４２および４４、４６および４８、５０および５２、５４および５６、５８および６０、６２および６４、６６および６８、７０および７２、７４および７６、７８および８０、８２および８４、８６および８８、９０および９２、ならびに９４および９６を含む配列対から選択される軽鎖および重鎖の両方を含む、請求項１０または１１に記載の抗体。
【請求項１３】
１×１０−７Ｍ未満の親和性を有し、ＤＫＫ１活性を阻害する、請求項１０、１１、または１２に記載の抗体を含む、骨障害を治療するための薬学的組成物。
【請求項１４】
骨障害が、骨折である、請求項１３に記載の薬学的組成物。
【請求項１５】
抗体が、表１に示される抗体２．４．１、２．２０．１、２．３７．１、２．４０．１、２．４１．１、２．４７．１、５．１７．１、５．２３．１、５．２５．１、５．３１．１、５．３２．１、５．４０．１、５．６５．１、５．７６．１、５．７７．１、５．７８．１、５．８０．１、５．８５．１、６．３７．５、６．１１６．６、６．１３９．５、および６．１４７．４からなる群から選択される、請求項１４に記載の薬学的組成物。
【請求項１６】
請求項１０、１１、または１２に記載の抗体または断片を含む、薬学的組成物。
【請求項１７】
薬学的に許容される賦形剤、希釈剤、または担体のうちの１つ以上と組み合わされる、請求項１０、１１、または１２に記載の抗体またはその断片。
【請求項１８】
骨折修復を加速させるための薬学的組成物であって、ＤＫＫ１抗体およびスクレロスチン抗体の組み合わせを含む、薬学的組成物。
【請求項１９】
前記抗体が、同時に投与される、請求項１８に記載の薬学的組成物。
【請求項２０】
前記抗体が、骨折から１日以内に投与される、請求項１９に記載の薬学的組成物。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
式Ｉで表される化合物、またはそのプロドラッグ、Ｎ−オキシド、付加塩、第四級アミン、金属複合体もしくは立体化学異性体形態物。
【化１】
2013545785.tif 000001
上式中、
各Ｘは独立して、ＣまたはＮであり；
Ｒ1はＨであり；
Ｒ2はＢｒおよびＣｌからなる群より選ばれ；
Ｒ3は−（ＣＲ6Ｒ7）n−Ｒ8であり；
Ｒ4はＣ3−Ｃ7シクロアルキル、Ｃ2−Ｃ10アルケニル、ＣＨ2ＣＦ3および−ＳＯ2ＣＨ3からなる群より選ばれ；
Ｒ5は、ＸがＣであるとき存在し、ここで、各Ｒ5は、各々独立して、Ｈ、Ｃ1−Ｃ6アルキル、Ｃ1−Ｃ6アルコキシ、ハロゲンおよびＣＮからなる群より選ばれ；
ＸがＮであるとき、Ｒ5は存在せず；
Ｒ6およびＲ7は、各々独立して、Ｈ、Ｃ1−Ｃ10アルキルおよびＣ3−Ｃ7シクロアルキルから選ばれるか、または
Ｒ6とＲ7は一緒になって、Ｎ、Ｓ、Ｏから選ばれるヘテロ原子の１個以上を場合により含有していてもよい５〜６員脂肪族もしくは芳香族環を形成し；
Ｒ8は、Ｈ、ＯＨ、ＣＦ3、ＣＨＦ2、Ｆ、Ｃｌ、ＳＯ2ＣＨ3、ＳＯ2Ｃ3−Ｃ7シクロアルキル、ＮＲ6ＳＯ2Ｒ6、ＳＯ2ＮＲ6Ｒ7、ＮＲ6ＳＯ2Ｃ3−Ｃ7シクロアルキル、ＣＮ、ＮＲ6Ｒ7、ＣＯＯＨ、ＣＯＯＲ6、ＣＯＮＲ6Ｒ7、ＯＣＯＣ1−Ｃ6アルキル、ＣＯＮＲ6ＳＯ2Ｒ7、ＣＯＮＨＲ6ＳＯ2Ｒ7、ＣＯＮＨ−Ｒ6−ＳＯ2ＮＲ6Ｒ7ＣＯＮＲ6ＳＯ2ＮＲ6Ｒ7、フタルイミド、またはＮ、Ｓ、Ｏからなる群より選ばれるヘテロ原子の１個以上を場合により含有していてもよい５〜６員脂肪族もしくは芳香族環からなる群より選ばれ；
ｎは１〜６の値を有する整数である。
【請求項２】
Ｒ2がＢｒである、請求項１に記載の化合物。
【請求項３】
Ｒ2がＣｌである、請求項１に記載の化合物。
【請求項４】
Ｒ6およびＲ7がＨである、請求項１〜３のいずれか１項に記載の化合物。
【請求項５】
ｎが２〜４である、請求項１〜４のいずれか１項に記載の化合物。
【請求項６】
Ｒ8がＦ、ＣＮ、ＯＨ、ＣＦ3およびＳＯ2ＣＨ3からなる群より選ばれる、請求項１〜５のいずれか１項に記載の化合物。
【請求項７】
Ｒ8がＦ、ＣＮ、ＯＨおよびＳＯ2ＣＨ3からなる群より選ばれる、請求項１〜６のいずれか１項に記載の化合物。
【請求項８】
Ｒ4がＣ3−Ｃ7シクロアルキルまたはＣＨ2ＣＦ3である、請求項１〜７のいずれか１項に記載の化合物。
【請求項９】
Ｒ4がシクロプロピルまたはＣＨ2ＣＦ3である、請求項１〜８のいずれか１項に記載の化合物。
【請求項１０】
一つのＸがＮであり、他のＸがＣである、請求項１〜９のいずれか１項に記載の化合物。
【請求項１１】
化合物が、式
【化２】
2013545785.tif 000002
で表される化合物である請求項１に記載の化合物、またはそのＮ−オキシド、付加塩、第四級アミンもしくは金属複合体。
【請求項１２】
化合物が、式
【化３】
2013545785.tif 000003
で表される化合物である請求項１に記載の化合物。
【請求項１３】
医薬として使用するための請求項１〜１２のいずれか１項に記載の化合物。
【請求項１４】
製薬学的に許容され得るキャリヤーと有効成分として請求項１〜１２のいずれか１項に記載の化合物の治療上効果的な量を含んでなる製薬学的組成物。
【請求項１５】
請求項１４に記載の製薬学的組成物の調製方法であって、製薬学的に許容され得るキャリヤーと請求項１〜１２のいずれか１項に記載の化合物の治療上効果的な量をお互いに混和するように混合することを含んでなる、上記方法。
【請求項１６】
ＲＳＶ複製を阻害するための医薬として使用するための請求項１〜１２のいずれか１項に記載の化合物。
【請求項１７】
ＲＳＶ複製を阻害するための医薬の製造のための請求項１〜１２のいずれか１項に記載の化合物の使用。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
神経因性疼痛及び／又は神経因性疼痛症候群の治療において使用するための化合物であって、
前記化合物は、化学式：
2013545730.tif 000001
又は、化学式：
2013545730.tif 000002
で示されるマロノニトリルアミド化合物、又は、その薬学的に許容される塩、溶媒和物、互変異性体若しくは立体異性体である化合物。
【請求項２】
請求項１に記載の化合物において、
前記化合物の互変異性体は、ケト型又はエノール型の２−シアノ−３−オキソ−Ｎ−[４−（トリフルオロメチル）フェニル]−６−ヘプチンアミドである化合物。
【請求項３】
請求項１又は２に記載の化合物において、
前記化合物の立体異性体は、Ｒ鏡像異性体又はＳ鏡像異性体である化合物。
【請求項４】
請求項１〜３のいずれか１項に記載の化合物において、
前記化合物は、末梢の及び／又は主に末梢の神経因性疼痛、又は、中枢の及び／又は主に中枢の神経因性疼痛の治療において使用される化合物。
【請求項５】
請求項４に記載の化合物において、
前記主に末梢の神経因性疼痛は、以下の神経因性疼痛の種類から選ばれる種類であるか、及び／又は以下の病因群から選ばれる病因を有し、
−全身性疾患、
−薬物誘発性病変、
−外傷性症候群及び絞扼性神経障害、
−神経根及び後神経節における病変、
−ＨＩＶ感染後の神経障害、
−ヘルペス感染後の神経痛、
−神経根引き抜き損傷、
−脳神経病変、
−頭蓋神経痛、
−神経因性癌疼痛、
−幻肢痛、
−末梢神経、神経叢及び神経根の圧迫、
−腫瘍随伴性末梢神経障害及び神経節障害、
−癌治療による合併症、
−複合性局所疼痛症候群、
−Ｉ型病変、
−ＩＩ型病変、
前記主に中枢の神経因性疼痛は、
−主に視床の脳病変、
−梗塞、
−視床や脳幹を圧迫する脳の腫瘍又は膿瘍、
−多発性硬化症、
−頭痛症候群、
−脳手術、
−脊髄障害、
−脊髄損傷、
−脊髄手術、
−虚血性病変、
−前脊髄動脈症候群、
−ワレンベルグ症候群、
−脊髄空洞症、
などの病因群から選ばれる病因を有するタイプのものである化合物。
【請求項６】
請求項１〜３のいずれか１項に記載の化合物において、
前記神経因性疼痛症候群は、帯状疱疹後神経痛、神経根引き抜き損傷、疼痛を伴う外傷性単神経障害、疼痛を伴う多発性神経障害、中枢性疼痛症候群、術後痛症候群、複合性局所疼痛症候群、及び／又は、片頭痛若しくは片頭痛の痛みである化合物。
【請求項７】
請求項１〜３のいずれか１項に記載の化合物において、
前記神経因性疼痛は、脊髄損傷及び／又は脊髄挫傷に起因する中枢性疼痛症候群である化合物。
【請求項８】
請求項１〜７のいずれか１項に記載の化合物において、
前記神経因性疼痛は、慢性神経因性疼痛である化合物。
【請求項９】
請求項１〜８のいずれか１項に記載の化合物において、
前記化合物は、神経系の損傷後に始まって、１ｍｇ／ｂｏｄｙ〜１０ｇ／ｂｏｄｙの１日投与量で投与される化合物。
【請求項１０】
神経因性疼痛及び／又は神経因性疼痛症候群の治療において使用するための医薬組成物であって、
前記医薬組成物は、請求項１〜３のいずれか１項に記載の化合物を、遊離形態で又は薬学的に許容される塩若しくは生理機能性誘導体の形態で、薬学的に許容される希釈剤又は担体とともに含み、
前記神経因性疼痛は、請求項４〜８のいずれか１項に記載の神経因性疼痛及び／又は神経因性疼痛症候群である医薬組成物。
【請求項１１】
請求項１０に記載の医薬組成物において、
前記化合物は、化学式：
2013545730.tif 000003
を有する化合物、又は、その薬学的に許容される塩、溶媒和物、互変異性体、立体異性体である医薬組成物。
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
原料である粗水素と粗塩素を反応させて塩化水素を合成した後圧縮冷却させて高純度塩化水素を製造する方法であって、
粗水素に含まれた水分と酸素に対する除去工程を遂行して精製された水素を生産する水素精製段階と、
粗塩素に含まれた水分と酸素に対する除去工程を遂行して精製された塩素を生産する塩素精製段階と、
前記精製された水素と前記精製された塩素を反応させて塩化水素を合成する反応段階と、
前記反応段階を通じて合成された塩化水素を圧縮冷却させる圧縮冷却段階と、
を含むことを特徴とする高純度塩化水素の製造方法。
【請求項２】
前記水素精製段階は、粗水素を触媒及び吸着剤を使用して水分と酸素を除去する段階を含み、前記塩素精製段階は粗水素ガスを１次吸着で水分を除去し、１次低温蒸留で金属成分を除去した後２次低温蒸留では塩素ガス以外のガス成分を除去して遂行されたものであることを特徴とする請求項１に記載高純度塩化水素の製造方法。
【請求項３】
前記反応段階での水素は、塩素に対してモル比で１０ないし２０モル％の範囲で過剰に投入されることを特徴とする請求項４に記載の高純度塩化水素製造方法。
【請求項４】
粗水素に含まれた水分と酸素に対する除去工程を遂行して精製された水素を生産する水素精製装置と、
粗塩素に含まれた水分と酸素に対する除去工程を遂行して精製された塩素を生産する、塩素精製装置と、
前記水素精製装置より生産された水素と前記塩素精製装置より生産された塩素を反応させて塩化水素を合成する反応器と、
前記反応器で合成された塩化水素を圧縮させる圧縮機と、
前記圧縮機によって圧縮された塩化水素を冷却させる冷却装置と、
を含むことを特徴とする高純度塩化水素製造システム。
【請求項５】
前記圧縮機の前方または後方に冷却装置がさらに付加されたことを特徴とする請求項４に記載の高純度塩化水素製造システム。
【請求項６】
前記圧縮機または蒸留塔が２段以上の多段で構成されることを特徴とする請求項４に記載の高純度塩化水素製造システム。
【請求項７】
前記圧縮機から導出された塩化水素を精製せずに溶解し、塩酸で製造する冷却吸収塔を更に含むことを特徴とする請求項４に記載の高純度塩化水素製造システム。
【請求項８】
前記塩素精製装置は粗塩素ガスから水分を除去するための吸着管、金属成分を除去するための一次低温蒸留管、前記１次低温蒸留管で蒸溜された塩素を冷却するための冷却器、及び塩素以外のガス成分を除去するための２次低温蒸留管とを含むことを特徴とする請求項４に記載の高純度塩化水素製造システム。
【手続補正２】
【補正対象書類名】明細書
【補正対象項目名】０００９
【補正方法】変更
【補正の内容】
【０００９】
本発明は、前記目的を達成するために、原料である粗水素と粗塩素を反応させて塩化水素を合成した後圧縮冷却させて高純度塩化水素を製造する方法であって、粗水素に含まれた水分と酸素に対する除去工程を遂行して精製された水素を生産する水素精製段階と、粗塩素に含まれた水分と酸素に対する除去工程を遂行して精製された塩素を生産する塩素精製段階と、前記精製された水素と前記精製された塩素を反応させて塩化水素を合成する反応段階と、前記反応段階を通じて合成された塩化水素を圧縮冷却させる圧縮冷却段階と、を含むことを特徴とする高純度塩化水素の製造方法を提供する。
【手続補正３】
【補正対象書類名】明細書
【補正対象項目名】００１０
【補正方法】変更
【補正の内容】
【００１０】
前記反応段階での水素は、塩素に対してモル比で１０ないし２０モル％の範囲で過剰に投入されることが望ましい。
【手続補正４】
【補正対象書類名】明細書
【補正対象項目名】００１１
【補正方法】変更
【補正の内容】
【００１１】
また、本発明は、粗水素に含まれた水分と酸素に対する除去工程を遂行して精製された水素を生産する水素精製装置と、粗塩素に含まれた水分と酸素に対する除去工程を遂行して精製された塩素を生産する、塩素精製装置と、前記水素精製装置より生産された水素と前記塩素精製装置より生産された塩素を反応させて塩化水素を合成する反応器と、前記反応器で合成された塩化水素を圧縮させる圧縮機と、前記圧縮機によって圧縮された塩化水素を冷却させる冷却装置とを含む高純度塩化水素製造システムを提供する。
【手続補正５】
【補正対象書類名】明細書
【補正対象項目名】００１２
【補正方法】変更
【補正の内容】
【００１２】
前記本発明の高純度塩化水素製造システムでは、前記圧縮機の前方または後方に冷却装置が備えられることが望ましい。
【手続補正６】
【補正対象書類名】明細書
【補正対象項目名】００１５
【補正方法】変更
【補正の内容】
【００１５】
そして、前記塩素精製装置は、粗塩素ガスから水分を除去するための吸着管、金属成分を除去するための１次低温蒸留管、前記１次低温蒸留管で蒸留された塩素を冷却するための冷却器、及び塩素以外のガス成分を除去するための２次低温蒸留管とを含み構成することができる。
【手続補正７】
【補正対象書類名】明細書
【補正対象項目名】００２８
【補正方法】変更
【補正の内容】
【００２８】
図２に図示された通り、前記塩素精製システムは、９９.８％の純度の塩素ガスから水分を除去するための吸着管、金属成分を除去するための１次低温蒸留管７０、前記１次低温蒸留管で蒸留された塩素を冷却するための冷却器８０、及びガス成分を除去するための２次低温蒸留管９０とを含み構成することができる。これらの塩素精製システムは、前述した塩化水素製造システムとｉｎ−ｌｉｎｅで連結され、高純度の精製された塩素を供給することもでき、別のシステムとして存在し、高純度の精製された塩素をタンクに別途保管して塩化水素製造システムに供給することもできる。
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
式(I)の化合物、又はその医薬として許容し得るその形態:
【化１】
2013545749.tif 000001
(式中、
W5は、N、CHR4、又はCR4であり;
R4は、水素、アルキル、ハロアルキル、ヘテロアルキル、アルケニル、アルキニル、シクロアルキル、ヘテロシクロアルキル、アリール、アリールアルキル、ヘテロアリール、ヘテロアリールアルキル、アルコキシ、ヘテロシクロアルキルオキシ、アミド、アミノ、アシル、アシルオキシ、アルコキシカルボニル、スルホンアミド、チオ、スルホキシド、スルホン、ハロ、シアノ、ヒドロキシ、ニトロ、ホスフェート、尿素、カルボネート、又はNR'R''であり、ここで、R'及びR''は、窒素と一緒になって、環部分を形成し;
Cyは、R3の0〜4回の出現によって置換されたアリール又はヘテロアリールであり;
R1は-(L)n-R1'であり:
各Lは、独立に、結合、アルキレン、ヘテロアルキレン、-N(R2)-、-S(O)-、-S(O)2-、-S-、-C(=O)-、-P(=O)R2-、又は-O-であり;
R1'は、水素、アルキル、ヘテロアルキル、アルケニル、アルキニル、シクロアルキル、ヘテロシクロアルキル、アリール、アリールアルキル、ヘテロアリール、ヘテロアリールアルキル、アルコキシ、ヘテロシクリルオキシ、ヘテロシクロアルキルオキシ、アミノ、アミド、アシル、アシルオキシ、アルコキシカルボニル、スルホンアミド、ハロ、シアノ、ヒドロキシ、ニトロ、ホスフェート、尿素、カルボネート、-(C=O)-NRa1Ra2、又はNRa1Ra2であり;
Ra1及びRa2は、各々独立に、水素、アルキル、ヘテロアルキル、アルケニル、アルキニル、シクロアルキル、ヘテロシクロアルキル、アリール、アリールアルキル、ヘテロアリール、ヘテロアリールアルキル、アルコキシ、ヘテロシクロアルキルオキシ、アミド、アミノ、アシル、アシルオキシ、アルコキシカルボニル、スルホンアミド、チオ、スルホキシド、スルホン、ハロ、シアノ、ヒドロキシ、ニトロ、ホスフェート、尿素、カルボネートであるか、又はRa1及びRa2は、窒素と一緒になって、環部分を形成し;
R2は、水素、アルキル、シクロアルキル、ヘテロシクロアルキル、ヘテロアルキル、アリール、又はヘテロアリールであり;
各R3は、独立に、アルキル、ヘテロアルキル、ハロアルキル、アルケニル、アルキニル、シクロアルキル、ヘテロシクロアルキル、アリール、アリールアルキル、ヘテロアリール、ヘテロアリールアルキル、アルコキシ、ヘテロシクロアルキルオキシ、アミド、アミノ、アシル、アシルオキシ、アルコキシカルボニル、スルホンアミド、チオ、スルホキシド、スルホン、ハロ、シアノ、ヒドロキシ、ニトロ、ホスフェート、尿素、カルボネート、又はNR'R''であり、ここで、R'及びR''は、窒素と一緒になって、環部分を形成し;
Xは、存在しないか、又は-(CH(R10))Z-であり;
Yは、非存在、-O-、-S-、-S(=O)-、-S(=O)2-、-N(R9)-、-C(=O)-(CHR10)z-、-C(=O)-、-N(R9)-C(=O)-、-C(=O)-N(R9)-、-N(R9)-C(=O)NH-、-N(R9)C(R10)2-、-C(=O)-(CHR10)z-、-C(=O)-N(R9)-(CHR10)z-、又は-P(=O)R2-であり;
各zは、1、2、3、又は4の整数であり;
nは、0、1、2、3、又は4の整数であり;
各R9は、独立に、水素、アルキル、シクロアルキル、ヘテロシクロアルキル、ヘテロシクロアルキルアルキル、ヘテロアルキル、アリール、又はヘテロアリールであり;
Wdは、ヘテロシクロアルキル、アリール、シクロアルキル、又はヘテロアリールであり、ここで、Wdは、1以上のRb、R11、R12、及びR13で任意に置換されており;
各Rbは、独立に、水素、ハロ、ホスフェート、尿素、カルボネート、アルキル、アルケニル、アルキニル、シクロアルキル、ヘテロアルキル、又はヘテロシクロアルキルであり;かつ
各R10、R11、R12、及びR13は、独立に、水素、アルキル、ヘテロアルキル、アルケニル、アルキニル、シクロアルキル、ヘテロシクロアルキル、アリール、アリールアルキル、ヘテロアリール、ヘテロアリールアルキル、アルコキシ、ヘテロシクリルオキシ、アミド、アミノ、アシル、アシルオキシ、アルコキシカルボニル、スルホンアミド、ハロ、ハロアルキル、シアノ、ヒドロキシル、ニトロ、ホスフェート、尿素、カルボネート、又はNR'R''であり、ここで、R'及びR''は、窒素と一緒になって、環部分を形成する)。
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
コンピュータシステムに方法を実行させるプログラムであって、前記方法は、
ユーザコードのランタイム非依存表現の実行のためのコンピュータシステムにおける第１の実行ランタイムを、コンパイラを用いることなくランタイム非依存ライブラリによって選択することであって、前記第１の実行ランタイムは、前記ランタイム非依存表現の少なくとも１つのヒューリスティックに基づき選択される、選択することと、
スケジューラを、コンパイラを用いることなく前記ランタイム非依存ライブラリによって呼び出して、前記第１の実行ランタイムを使用して前記コンピュータシステムで実行のための前記ランタイム非依存表現中のタスクのセットをディスパッチすることと
を含むことを特徴とするプログラム。
【請求項２】
請求項１に記載のプログラムであって、前記方法は、前記ユーザコードを前記タスクのセットを含む前記ランタイム非依存表現に変換することをさらに含むことを特徴とするプログラム。
【請求項３】
請求項１に記載のプログラムであって、前記ユーザコードは、前記タスクのセットおよび前記タスクのセットの相互関係のセットを固有の方法で表すことを特徴とするプログラム。
【請求項４】
請求項１または２に記載のプログラムであって、前記ユーザコードは、クエリー構文を使用して前記タスクのセットおよび前記タスクのセットの相互関係のセットを特定することを特徴とするプログラム。
【請求項５】
請求項１に記載のプログラムであって、前記ランタイム非依存表現は、前記第１の実行ランタイムおよび前記第１の実行ランタイムとは異なる第２の実行ランタイムによって実行可能であることを特徴とするプログラム。
【請求項６】
請求項１に記載のプログラムであって、前記ランタイム非依存表現は、データフローに関して前記タスクのセットを表すことを特徴するプログラム。
【請求項７】
請求項１に記載のプログラムであって、前記ランタイム非依存表現は、ＤＡＧ（有向非巡回グラフ）を形成することを特徴とするプログラム。
【請求項８】
請求項１に記載のプログラムであって、前記第１の実行ランタイムは、シングルマシン、マシンのクラスタおよびマシンのクラウドのうちの１つに対応することを特徴とするプログラム。
【請求項９】
請求項１に記載のプログラムであって、前記コンピュータシステムは、シングルマシン、マシンのクラスタおよびマシンのクラウドのうちの１つを含むことを特徴とするプログラム。
【請求項１０】
請求項１に記載のプログラムであって、前記スケジューラは、利用可能になるタスクに対応する入力データのセットに応じて前記タスクのセットにおけるタスクをディスパッチするように構成されていることを特徴とするプログラム。
【請求項１１】
コンピュータシステムに方法を実行させるためのプログラムであって、前記方法は、
ユーザコードにおける固有の方法で表現されるタスクのセットおよび前記タスクのセットの相互関係のセットを、コンパイラを用いることなくランタイム非依存ライブラリによって特定することと、
前記タスクのセットおよび前記相互関係のセットを前記ユーザコードのランタイム非依存表現に、コンパイラを用いることなく前記ランタイム非依存ライブラリによって変換することと
を含むことを特徴するプログラム。
【請求項１２】
請求項１１に記載のプログラムであって、前記ランタイム非依存表現は、データフローに関して前記タスクのセットを表すことを特徴するプログラム。
【請求項１３】
請求項１１に記載のプログラムであって、前記ランタイム非依存表現は、ＤＡＧ（有向非巡回グラフ）を形成することを特徴とするプログラム。
【請求項１４】
請求項１１に記載のプログラムであって、前記方法は、ランタイムにて前記ランタイム非依存表現の実行のための前記コンピュータシステムにおける実行ランタイムを選択することをさらに含むことを特徴とするプログラム。
【請求項１５】
請求項１４に記載のプログラムであって、前記実行ランタイムは、シングルマシン、マシンのクラスタおよびマシンのクラウドのうちの１つに対応することを特徴とするプログラム。
【請求項１６】
請求項１１に記載のプログラムであって、前記コンピュータシステムは、シングルマシン、マシンのクラスタおよびマシンのクラウドのうちの１つを含むことを特徴とするプログラム。
【請求項１７】
少なくとも１つのコンピュータシステムによって実行される方法であって、前記方法は、
ユーザコードを、データフローに関してタスクのセットを表すＤＡＧ（有向非巡回グラフ）を形成するランタイム非依存表現に、コンパイラを用いることなくランタイム非依存ライブラリによって変換することであって、前記ユーザコードは前記タスクのセットおよび前記タスクのセットの相互関係のセットを固有の方法で表す、変換することと、
前記ランタイム非依存表現の実行のための前記コンピュータシステムにおける２つまたはそれより多い実行ランタイムのセットから第１の実行ランタイムを、コンパイラを用いることなく前記ランタイム非依存ライブラリによって選択することであって、前記第１の実行ランタイムは、前記ランタイム非依存表現の少なくとも１つのヒューリスティックに基づき選択される、選択することと、
スケジューラを、コンパイラを用いることなく前記ランタイム非依存ライブラリによって呼び出して、前記第１の実行ランタイムを使用して前記コンピュータシステムで実行のための前記ランタイム非依存表現中のタスクのセットをディスパッチすることと
を含むことを特徴とする方法。
【請求項１８】
請求項１７に記載の方法であって、前記ランタイム非依存表現は、前記第１の実行ランタイムおよび前記２つまたはそれより多い実行ランタイムのセットにおける第２の実行ランタイムによって実行可能であり、前記第２の実行ランタイムは前記第１の実行ランタイムとは異なることを特徴とする方法。
【請求項１９】
請求項１７に記載の方法であって、前記第１の実行ランタイムは、シングルマシン、マシンのクラスタおよびマシンのクラウドのうちの１つに対応することを特徴とする方法。
【請求項２０】
請求項１７に記載の方法であって、前記コンピュータシステムは、シングルマシン、マシンのクラスタおよびマシンのクラウドのうちの１つを含むことを特徴とする方法。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
コンピュータプログラムの制御のためのサーマルイメージングインタフェース方法であって、
ａ）１以上のサーモグラフィックカメラを用いて１以上のオブジェクトの１以上の熱赤外線画像を取得するステップと、
ｂ）前記１以上の熱赤外線画像を分析するステップと、
ｃ）前記１以上の熱赤外線画像から前記１以上のオブジェクトの１以上の特徴を特定するステップと、
ｄ）前記１以上の特徴をコンピュータプログラムにおける制御入力として用いるステップとを含み、
前記オブジェクトはユーザを含み、前記１以上の特徴は、前記１以上のユーザの前記１以上の熱赤外線画像における温度または温度変化を測定することによって判定される前記１以上のユーザの１以上のバイタルサインを含む方法。
【請求項２】
前記コンピュータプログラムは、前記１以上のバイタルサインを、プログラムの実行中に起こるアクションのペースを制御するために利用する請求項１の方法。
【請求項３】
前記アクションのペースは音楽のテンポを含む請求項２の方法。
【請求項４】
前記コンピュータプログラムは、前記コンピュータプログラムに関連づけられたグラフィックスを制御するために前記１以上のバイタルサインを用いる請求項１の方法。
【請求項５】
前記コンピュータプログラムは、前記コンピュータプログラムと連動して前記１以上のユーザの性能を測定するために前記１以上のバイタルサインを用いる請求項１の方法。
【請求項６】
前記コンピュータプログラムは、生物オブジェクトを無生物オブジェクトから区別するために前記１以上のバイタルサインを用いる請求項１の方法。
【請求項７】
前記コンピュータプログラムは、前記コンピュータプログラムに関連づけられたユーザインタフェースのレスポンス速度を制御するために前記１以上のバイタルサインを用いる請求項１の方法。
【請求項８】
前記１以上のバイタルサインを仮想オブジェクトのアクションのトリガーにマップする請求項１の方法。
【請求項９】
前記１以上のバイタルサインをサンプルし、前記コンピュータプログラムによって音を生成するために使用する請求項１の方法。
【請求項１０】
前記１以上のバイタルサインは心拍数、呼吸数、体温、または血圧である請求項１の方法。
【請求項１１】
前記１以上のバイタルサインを分析するステップと、前記１以上のバイタルサインの分析の結果からユーザの健康状態を判定するステップとをさらに含む請求項１０の方法。
【請求項１２】
ステップｃ）における前記１以上の特徴は、前記ユーザの鼻と口の周辺の空気の流れおよび温度を測定することによって判定される各ユーザに対する呼吸パターンを含む請求項１の方法。
【請求項１３】
前記１以上のユーザの間から発せられる音の発信源を特定するために前記１以上のユーザに対する呼吸パターンを用いる請求項１２の方法。
【請求項１４】
前記１以上のユーザが権限のあるユーザであるかどうかを判定するために前記１以上のユーザに対する呼吸パターンを用いる請求項１２の方法。
【請求項１５】
ステップｃ）における前記１以上の特徴は、前記１以上の熱赤外線画像を用いた補間を加味して赤外線反射によって判定された、サーモグラフィックカメラに対する前記１以上のオブジェクトの奥行きを含む請求項１の方法。
【請求項１６】
ステップｄ）は、前記１以上のユーザに関連づけられた体の部分の動きを追跡するために、前記１以上のユーザの通常の画像と組み合わせて、各ユーザに対する前記１以上の特徴を用いるステップを含む請求項１５の方法。
【請求項１７】
ステップｃ）における前記１以上の特徴は、前記１以上のオブジェクトをその背景から区別するセグメンテーションの手がかりを含む請求項１の方法。
【請求項１８】
コンピュータプログラムの制御のための装置であって、
１以上のサーモグラフィックカメラと、
前記１以上のサーモグラフィックカメラと結合されたプロセッサと、
前記プロセッサによって実行可能なインストラクションとを含み、前記インストラクションは、
ａ）前記１以上のサーモグラフィックカメラを用いて１以上のオブジェクトの１以上の熱赤外線画像を取得し、
ｂ）前記１以上の熱赤外線画像を分析し、
ｃ）前記１以上の熱赤外線画像から前記１以上のオブジェクトの特徴を特定し、
ｄ）前記１以上の特徴をコンピュータプログラムに対する制御入力として用いるように構成され、
前記オブジェクトはユーザを含み、前記１以上の特徴は、前記１以上のユーザの前記１以上の熱赤外線画像における温度または温度変化を測定することによって判定される前記１以上のユーザの１以上のバイタルサインを含む装置。
【請求項１９】
ステップｃ）における前記１以上の特徴は、前記１以上のユーザの鼻と口の周辺の空気の流れおよび温度を測定することによって判定される各ユーザに対する呼吸数を含む請求項１８の装置。
【請求項２０】
ステップｃ）における前記１以上の特徴は、前記１以上の熱赤外線画像を用いた補間を加味して赤外線反射によって判定された、サーモグラフィックカメラに関する前記１以上のオブジェクトの奥行きを含む請求項１８の装置。
【請求項２１】
前記１以上のサーモグラフィックカメラは、前記プロセッサに結合されたビデオディスプレイに搭載されたサーモグラフィックカメラを含む請求項１８の装置。
【請求項２２】
前記プロセッサは、１以上の専用プロセッサを含み、各サーモグラフィックカメラは対応する専用プロセッサに結合されている請求項１８の装置。
【請求項２３】
ステップｂ）、ｃ）およびｄ）は前記１以上の専用プロセッサによって実装される請求項２２の装置。
【請求項２４】
コンピュータプログラム製品であって、
サーマルイメージングインタフェースを用いてコンピュータプログラムを制御するためのコンピュータ読み取り可能なプログラムコードが具体化された持続的なコンピュータ読み取り可能なストレージメディアを含み、前記コンピュータプログラム製品は、
ａ）１以上のサーモグラフィックカメラを用いて１以上のオブジェクトの１以上の熱赤外線画像を取得するためのコンピュータ読み取り可能なプログラムコードと、
ｂ）前記１以上の熱赤外線画像を分析するためのコンピュータ読み取り可能なプログラムコードと、
ｃ）前記１以上の熱赤外線画像から前記１以上のオブジェクトの１以上の特徴を特定するためのコンピュータ読み取り可能なプログラムコードと、
ｄ）前記１以上の特徴をコンピュータプログラムにおける制御入力として用いるためのコンピュータ読み取り可能なプログラムコードとを含み、
前記オブジェクトはユーザを含み、前記１以上の特徴は、前記１以上のユーザの前記１以上の熱赤外線画像における温度または温度変化を測定することによって判定される前記１以上のユーザの１以上のバイタルサインを含むコンピュータプログラム製品。
【請求項２５】
前記コンピュータプログラムは、コンピュータエンタテインメントプログラムである請求項１の方法。
【請求項２６】
前記制御入力はビデオゲームにおける状態の変化をもたらす請求項２５の方法。
【手続補正書】
【提出日】平成26年8月11日(2014.8.11)
【手続補正１】
【補正対象書類名】明細書
【補正対象項目名】００３３
【補正方法】変更
【補正の内容】
【００３３】
本発明について本発明の例示的な実施形態を参照して特に図示し説明したが、添付の特許請求の範囲に包含される本発明の範囲から逸脱せずに、形態及び詳細に様々な変更を行い得ることが当業者には理解されよう。
なお、本発明は、実施の態様として以下の内容を含む。
〔態様１〕
コンピュータに実装され、追跡システムにおいてユーザと交信相手との交信を追跡する方法であって、
ユーザと交信相手との間での電子メールメッセージを監視すること、
電子メールメッセージが検出されると、前記電子メールメッセージを前記追跡システムに自動的にコピーすること、
前記電子メールメッセージを解析して、前記メッセージの送信者及び受信者を特定すること、
前記送信者及び前記受信者について前記追跡システムのデータベースを検索すること、並びに
前記送信者又は前記受信者が前記データベースにおいて見つかった場合、前記電子メールメッセージを前記交信相手の活動レコードに追加すること、
を含む、方法。
〔態様２〕
前記電子メールメッセージを活動レコードに追加することは、前記活動がインバウンド活動であるか、それともアウトバウンド活動であるかについての指標を追加することを含む、態様１に記載の方法。
〔態様３〕
前記電子メールメッセージを活動レコードに追加することは、前記メッセージがインバウンドメッセージである場合、前記メッセージの前記送信者の活動レコードに前記電子メールメッセージを追加することを含む、態様２に記載の方法。
〔態様４〕
前記電子メールメッセージを活動レコードに追加することは、前記メッセージがアウトバウンドメッセージである場合、前記メッセージの前記受信者の活動レコードに前記電子メールメッセージを追加することを含む、態様２に記載の方法。
〔態様５〕
前記送信者及び前記受信者のいずれも前記データベースにおいて見つからない場合、前記電子メールメッセージのコピーを削除することをさらに含む、態様１に記載の方法。
〔態様６〕
電子メールメッセージを検出することは、カレンダーイベントの電子招待を検出することを含む、態様１に記載の方法。
〔態様７〕
前記カレンダーイベントについての情報を前記データベースに記憶することをさらに含む、態様６に記載の方法。
〔態様８〕
前記カレンダーイベントの被招待者について前記データベースを検索することをさらに含む、態様６に記載の方法。
〔態様９〕
前記カレンダーイベントについての情報を前記被招待者の前記活動レコードに追加することをさらに含む、態様８に記載の方法。
〔態様１０〕
前記電子招待がキャンセルされた場合、前記カレンダーイベントについての情報を前記データベースから削除すること、及び前記カレンダーイベントのあらゆる被招待者の前記活動レコードから、前記カレンダーイベントについての情報を削除することをさらに含む、態様６に記載の方法。
〔態様１１〕
追跡システムにおいてユーザと交信相手との交信を追跡するコンピュータシステムであって、
ユーザと交信相手との間での電子メールメッセージを監視し、電子メールメッセージを検出すると、前記電子メールメッセージを前記追跡システムに自動的にコピーするメール転送モジュールと、
前記電子メールメッセージを解析して、前記メッセージの送信者及び受信者を特定し、前記送信者及び前記受信者について前記追跡システムのデータベースを検索する解析モジュールと、
前記送信者又は前記受信者が前記データベースにおいて見つかった場合、前記電子メールメッセージを前記交信相手の活動レコードに追加する追跡モジュールと、
を備える、システム。
〔態様１２〕
前記追跡モジュールは、前記活動がインバウンド活動であるか、それともアウトバウンド活動であるかについての指標を前記活動レコードに追加する、態様１１に記載のコンピュータシステム。
〔態様１３〕
前記追跡モジュールは、前記メッセージがインバウンドメッセージである場合、前記メッセージの前記送信者の活動レコードに前記電子メールメッセージを追加する、態様１２に記載のコンピュータシステム。
〔態様１４〕
前記追跡モジュールは、前記メッセージがアウトバウンドメッセージである場合、前記メッセージの前記受信者の活動レコードに前記電子メールメッセージを追加する、態様１２に記載のコンピュータシステム。
〔態様１５〕
前記追跡モジュールは、前記送信者及び前記受信者のいずれも前記データベースにおいて見つからない場合、前記電子メールメッセージのコピーを削除する、態様１１に記載のコンピュータシステム。
〔態様１６〕
前記解析モジュールは、前記電子メールメッセージがカレンダーイベントの電子招待を含むか否かを判断する、態様１１に記載のコンピュータシステム。
〔態様１７〕
前記追跡モジュールは、前記カレンダーイベントについての情報を前記データベースに記憶する、態様１６に記載のコンピュータシステム。
〔態様１８〕
前記解析モジュールは、前記カレンダーイベントの被招待者について前記データベースを検索する、態様１６に記載のコンピュータシステム。
〔態様１９〕
前記追跡モジュールは、前記カレンダーイベントについての情報を前記被招待者の前記活動レコードに追加する、態様１８に記載のコンピュータシステム。
〔態様２０〕
前記追跡モジュールは、前記電子招待がキャンセルされた場合、前記カレンダーイベントについての情報を前記データベースから削除し、前記カレンダーイベントのあらゆる被招待者の前記活動レコードから、前記カレンダーイベントについての情報を削除する、態様１６に記載のコンピュータシステム。
〔態様２１〕
追跡システムにおいてユーザと交信相手との交信を追跡するためのプログラムコードであって、コンピュータ内に具現化され、コンピュータ可読なプログラムコードを有するコンピュータ可読媒体であって、前記コンピュータ可読媒体プログラムコードは命令を含み、前記命令は、プロセッサによって実行されると、前記プロセッサに、
ユーザと交信相手との間での電子メールメッセージを監視する手順、
電子メールメッセージを検出すると、前記電子メールメッセージを前記追跡システムに自動的にコピーする手順、
前記電子メールメッセージを解析して、前記メッセージの送信者及び受信者を特定する手順、
前記送信者及び前記受信者について前記追跡システムのデータベースを検索する手順、及び
前記送信者又は前記受信者が前記データベースにおいて見つかった場合、前記電子メールメッセージを前記交信相手の活動レコードに追加する手順、
を実行させる、コンピュータ可読媒体。